(57)【要約】      （修正有）【課題】興趣性に富んだおみくじ付き風鈴を提供する。【解決手段】中空の釣鐘２０と、中空の釣鐘の内部に吊るされた舌５０と、舌を吊るす紐３０に吊るされた短冊１０とを有し、短冊は、運勢を記載したおみくじ部を有する。短冊は、吊るされた状態でおみくじ部が視認できないよう、おみくじ部が内側になるよう３つ折りに折った状態で紐に吊るされる。短冊は、貫通孔を有し、紐の有するフック４０に着脱自在に吊るされる。【選択図】図１
0003225496.tif 000002
【実用新案登録請求の範囲】
【請求項１】
中空の釣鐘と、舌を吊るす紐に吊るされた短冊とを有し、
前記短冊は、運勢を記載したおみくじ部を有する、おみくじ付き風鈴。
【請求項２】
請求項１に記載されたおみくじ付き風鈴であって、
前記短冊は、吊るされた状態で前記おみくじ部が視認できないよう、前記おみくじ部が内側になるよう３つ折りに折った状態で前記紐に吊るされる、おみくじ付き風鈴。
【請求項３】
請求項１又は２に記載されたおみくじ付き風鈴であって、
前記短冊は、貫通孔を有し、前記紐の有するフックに着脱自在に吊るされる、おみくじ付き風鈴。
【考案の詳細な説明】
【技術分野】
【０００１】
本考案は、おみくじ付き風鈴に関する。
【背景技術】
【０００２】
風の通る箇所に吊り下げられる風鈴は、古くから多くの人に親しまれている。
【０００３】
なお、特許文献１には、発光風鈴に関する技術が開示されている。同文献の発光風鈴は、中が空である釣鐘に吊設された紐と前記紐の下端に吊り下げられた短冊とのいずれかまたはすべてが発光機能を有している。
【先行技術文献】
【特許文献】
【０００４】
【特許文献１】特開２０１２−２４２８９号公報
【考案の概要】
【考案が解決しようとする課題】
【０００５】
一般的な風鈴は、短冊が風を受けると、短冊を吊るす紐に設けられた舌が釣鐘に接触して音が鳴る。短冊には和風の絵などが描かれるが、興趣性に乏しい。
【０００６】
本考案は、上記の点に鑑みてなされたものであって、興趣性に富んだ風鈴の提供を目的とする。
【課題を解決するための手段】
【０００７】
本願は、上記課題の少なくとも一部を解決する手段を複数含んでいるが、その例を挙げるならば、以下の通りである。
【０００８】
上記課題を解決するため、本考案の一態様に係るおみくじ付き風鈴は、中空の釣鐘と、舌を吊るす紐に吊るされた短冊とを有し、前記短冊は、運勢を記載したおみくじ部を有する。
【０００９】
また、前記短冊は、吊るされた状態で前記おみくじ部が視認できないよう、前記おみくじ部が内側になるよう３つ折りに折った状態で前記紐に吊るされていてもよい。
【００１０】
また、前記短冊は、貫通孔を有し、前記紐の有するフックに着脱自在に吊るされてもよい。
【考案の効果】
【００１１】
本考案によれば、趣向性に富んだ風鈴を提供することができる。
【００１２】
上記した以外の課題、構成、及び効果は、以下の実施形態の説明により明らかにされる。
【図面の簡単な説明】
【００１３】
【図１】おみくじ付き風鈴の外観の一例を示す図である。
【図２】短冊の外観の一例を示す図である。
【図３】フックに吊るされた短冊の模式図の一例である。
【考案を実施するための形態】
【００１４】
以下、図面に基づいて本考案の実施形態の例を説明する。
【００１５】
図１は、おみくじ付き風鈴１の外観の一例を示す図である。おみくじ付き風鈴１は、短冊１０と、釣鐘２０と、紐３０と、フック４０と、舌５０とを有する。短冊１０は、紐３０に接続されたフック４０に着脱自在に吊るされている。短冊１０は、運勢を記載したおみくじ部を有する。なお、短冊１０の素材は限定されるものではなく、紙や樹脂シート等、運勢の記載が可能であって、吊るした状態で風に揺れる素材が用いられる。図１に示す例では、折り畳んだ短冊１０の内側がおみくじ部となっている。
【００１６】
釣鐘２０は、中空であって、紐３０により吊り下げられる。釣鐘２０の素材は限定されるものではなく、ガラス、金属等、一般的に風鈴の釣鐘２０に用いられる素材を使用することができる。紐３０は、釣鐘２０、フック４０並びにフック４０に接続される短冊１０、及び舌５０を吊り下げる。紐３０には、綿糸、化学繊維等、任意の素材を用いることができる。
【００１７】
フック４０は、紐３０に吊り下げられ、短冊１０を引っかけて留める鉤を有する。フック４０は、例えば付属のレバーを操作することで開閉可能なカニカンフックや、フック部分を閉じている部材を押圧することで開くナスカンフック等である。なお、フック４０は、短冊１０を係止できるものであればよく、例えば短冊１０を挟んで留めるクリップ等であってもよい。
【００１８】
舌５０は、紐３０に吊り下げられる部品であって、短冊１０が風に揺られると、舌５０が釣鐘２０に接触して音が鳴る。舌５０には、金属、ガラス等の任意の素材を用いることができる。
【００１９】
図２は、短冊１０の外観の一例を示す図である。短冊１０は、１又は複数の貫通孔１１と、吉凶記載領域１２と、運勢の説明記載領域１３と、願い事記入領域１４とを有する。貫通孔１１は、短冊１０をフック４０に吊るすために用いられ、フック４０を挿通する。吉凶記載領域１２は、「大吉」、「吉」、「中吉」、「小吉」、「凶」など、運勢を一言で表した吉凶を記載する領域である。
【００２０】
運勢の説明記載領域１３は、任意の運勢の説明が記載される。運勢の説明記載領域１３には、例えば健康運、金運、恋愛運等の説明が記載される。願い事記入領域１４は、願い事が記入される領域である。なお、運勢の説明記載領域１３及び願い事記入領域１４は、短冊１０に必須の構成要素ではない。付言すれば、図２に示す例では、吉凶記載領域１２と、運勢の説明記載領域１３と、願い事記入領域１４とは、おみくじ部に含まれる。
【００２１】
吉凶記載領域１２と、運勢の説明記載領域１３とに記載される運勢、及び願い事記入領域に記入される願い事は、短冊１０を吊るした際に外部から視認されないよう、折った短冊１０の内側に記載される。
【００２２】
一例として、短冊１０は、３つ折りに折った状態で紐３０に吊るされる。その際、短冊１０は、図２に記載するように、３つの貫通孔１１を有する。吉凶記載領域１２には、吊るされた状態で文字が逆さにならないよう、貫通孔１１が上方向になるよう吉凶が記載される。また、運勢の説明記載領域１３に記載される運勢の説明、及び願い事記入領域１４に記載される「おねがいごと」等の項目名は、短冊１０を風鈴から取り外して開いた状態において、天地を返さずに済むよう（即ち、上下方向を変更させずに済むよう）、吉凶記載領域１２に記載された文字と上下方向を共通させて記載される。
【００２３】
なお、フック４０が短冊１０を挟んで留めるクリップである場合、短冊１０は必ずしも貫通孔１１を有さなくてもよい。
【００２４】
図３は、フック４０に吊るされた短冊１０の模式図の一例である。短冊１０は、例えば３つ折りにしてフック４０に係止される。図３に示す例では、長方形の短冊１０の一端は上側に位置してフック４０に係止され、他端は短冊１０の内側の下側に折り込まれる。換言すれば、３つ折りにより３分割される短冊１０の一端が、吊り下げた状態での短冊１０の表（おもて）面となり、中央部分が裏面となり、他端が表面と裏面の間に折り込まれる。
【００２５】
なお、短冊１０は、一枚の紙でなくてもよい。例えば複数枚を組み合わせて構成され、その一部がおみくじ部となっていてもよい。
【００２６】
以上、本実施形態により、興趣性に富んだ風鈴を提供することができる。また、風鈴の展示時はおみくじに記載された運勢が視認できないため、運勢が分からない状態で風鈴を入手することができ、人に興味を持たせることができる。
【００２７】
以上、本考案に係る各実施形態及び変形例の説明を行ってきたが、本考案は、上記した実施形態の一例に限定されるものではなく、様々な変形例が含まれる。例えば、上記した実施形態の一例は、本考案を分かり易くするために詳細に説明したものであり、本考案は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。
【符号の説明】
【００２８】
１：おみくじ付き風鈴、１０：短冊、１１：貫通孔、１２：吉凶記載領域、１３：運勢の説明記載領域、２０：釣鐘、３０：紐、４０：フック、５０：舌
【図１】
0003225496.tif 000003
【図２】
0003225496.tif 000004
【図３】
0003225496.tif 000005
【手続補正書】
【提出日】令和1年12月27日(2019.12.27)
【手続補正１】
【補正対象書類名】実用新案登録請求の範囲
【補正対象項目名】全文
【補正方法】変更
【補正の内容】
【実用新案登録請求の範囲】
【請求項１】
中空の釣鐘と、前記中空の釣鐘の内部に吊るされた舌と、前記舌を吊るす紐に吊るされた短冊とを有し、
前記短冊は、運勢を記載したおみくじ部を有する、おみくじ付き風鈴。
【請求項２】
請求項１に記載されたおみくじ付き風鈴であって、
前記短冊は、吊るされた状態で前記おみくじ部が視認できないよう、前記おみくじ部が内側になるよう３つ折りに折った状態で前記紐に吊るされる、おみくじ付き風鈴。
【請求項３】
請求項１又は２に記載されたおみくじ付き風鈴であって、
前記短冊は、貫通孔を有し、前記紐の有するフックに着脱自在に吊るされる、おみくじ付き風鈴。
【手続補正２】
【補正対象書類名】明細書
【補正対象項目名】０００８
【補正方法】変更
【補正の内容】
【０００８】
上記課題を解決するため、本考案の一態様に係るおみくじ付き風鈴は、中空の釣鐘と、前記中空の釣鐘の内部に吊るされた舌と、前記舌を吊るす紐に吊るされた短冊とを有し、前記短冊は、運勢を記載したおみくじ部を有する。